(57)【要約】【課題】映像再生装置において、デジタルフィルタ処理の強度を適切に調整して、適切なフィルタ効果を得る。【解決手段】テレビジョン受像機１は、ＤＴＶデコーダ２と、デジタルフィルタ４と、ブロックノイズ検出部８と、ＭＰＵ９とを備える。ＤＴＶデコーダ２は、デジタルテレビジョン信号に含まれる圧縮されたデジタル映像信号を伸張し、また、その圧縮されたデジタル映像信号のビットレートを検出する。デジタルフィルタ４は、伸張されたデジタル映像信号に対してデジタルフィルタ処理を施し、ブロックノイズ検出部８は、デジタルフィルタ処理が施された後のデジタル映像信号に基く映像を表示するときに現れるブロックノイズのレベルを検出する。ＭＰＵ９は、ＤＴＶデコーダ２により検出されたビットレートに加えて、ブロックノイズ検出部８により検出されたブロックノイズのレベルに応じて、デジタルフィルタ処理の強度を調整する。【選択図】図１
2010283448.tif 000002
【特許請求の範囲】
【請求項１】
圧縮されたデジタル映像信号を伸張する伸張手段と、前記伸張手段により伸張されたデジタル映像信号に対してデジタルフィルタ処理を施すデジタルフィルタとを備え、前記デジタルフィルタによりデジタルフィルタ処理が施された後のデジタル映像信号に基く映像を表示する映像再生装置において、
前記デジタルフィルタにおけるデジタルフィルタ処理の強度を調整するフィルタ強度調整手段と、
前記伸張手段により伸張される圧縮されたデジタル映像信号のビットレートを検出するビットレート検出手段と、
前記デジタルフィルタによりデジタルフィルタ処理が施された後のデジタル映像信号に基く映像を表示するときに現れるブロックノイズのレベルを検出するブロックノイズ検出手段とを備え、
前記フィルタ強度調整手段は、
前記ビットレート検出手段により検出されたビットレートに応じて、前記デジタルフィルタにおけるデジタルフィルタ処理の強度を調整すると共に、前記ブロックノイズ検出手段により検出されたブロックノイズのレベルに応じて、前記デジタルフィルタにおけるデジタルフィルタ処理の強度を調整する、
ことを特徴とする映像再生装置。
【請求項２】
前記デジタルフィルタは、
デジタル映像信号に対して施すデジタルフィルタ処理として、デブロックフィルタ処理、及びスムージングフィルタ処理を施す、
ことを特徴とする請求項１に記載の映像再生装置。
【請求項３】
前記フィルタ強度調整手段は、
前記ブロックノイズ検出手段により検出されたブロックノイズのレベルに応じて、前記デジタルフィルタにおけるデジタルフィルタ処理の強度を徐々に変化させながら調整する、
ことを特徴とする請求項１に記載の映像再生装置。
【請求項４】
圧縮されたデジタルテレビジョン信号を受信するテレビジョン受信手段をさらに備え、
前記伸張手段は、
前記テレビジョン受信手段により受信された圧縮されたデジタルテレビジョン信号に含まれる圧縮されたデジタル映像信号を伸張する、
ことを特徴とする請求項１に記載の映像再生装置。
【発明の詳細な説明】
【技術分野】
【０００１】
本発明は、デジタル映像信号に基く映像を表示する映像再生装置に関するものである。
【背景技術】
【０００２】
従来から、デジタル映像信号に基く映像を表示する映像再生装置において、テレビジョン放送局から放送されるデジタルテレビジョン信号を受信して、デジタルテレビジョン信号に含まれるデジタル映像信号に基く映像を表示するテレビジョン受像機がある。デジタルテレビジョン信号は、ＭＰＥＧ形式で圧縮されたデジタル映像信号を含んでおり、テレビジョン受像機は、テレビジョン信号に含まれる圧縮されたデジタル映像信号を伸張して、その伸張したデジタル映像信号に基く映像を表示するようになっている。
【０００３】
一般的に、ＭＰＥＧ形式等のＤＣＴ（離散コサイン変換）を用いて圧縮されたデジタル映像信号を伸張して、その伸張したデジタル映像信号に基く映像を表示すると、ブロックノイズやモスキートノイズ等のノイズが現れ、画質が劣化する。
【０００４】
そこで、従来のテレビジョン受像機では、このようなノイズによる画質劣化を改善するために、伸張したデジタル映像信号に対してデブロッキング処理やスムージングフィルタ処理などのデジタルフィルタ処理（ノイズを低減するための信号補正処理）を施し、デジタルフィルタ処理を施した後のデジタル映像信号に基く映像を表示するようにしている。
【０００５】
一方、ビットレートを変数にした特性曲線を用いてデブロックフィルタの強度を設定し、ビットレートが低下するに従って、デブロックフィルタの強度を強くするようにした映像再生装置が知られている（例えば特許文献１）。また、マクロブロックベースでオーバーラップスムージング及びインループデブロッキングの区分的な処理を実行することによって、小容量のメモリを使用することができるようにした映像再生装置が知られている（例えば特許文献２参照）。また、補間されたビデオデータと隣接ビデオデータとに対して決定された境界強度値に基いて、ローパスフィルタのフィルタリングレベルを決定するようにした映像再生装置が知られている（例えば特許文献３参照）。
【先行技術文献】
【特許文献】
【０００６】
【特許文献１】特開２００８−２６３５２９号公報
【特許文献２】特表２００８−５２９４１１号公報
【特許文献３】特表２００８−５３３８６３号公報
【発明の概要】
【発明が解決しようとする課題】
【０００７】
ところで、ブロックノイズやモスキートノイズ等のノイズは、デジタル映像信号の圧縮率が高い場合に、顕著に現れる。圧縮されたデジタル映像信号のビットレートは、デジタル映像信号の圧縮率に対応し、デジタル映像信号の圧縮率が高いほど、圧縮されたデジタル映像信号のビットレートが低くなり、デジタル映像信号の圧縮率が低いほど、圧縮されたデジタル映像信号のビットレートが高くなる。一方、デジタルフィルタ処理の強度が強すぎると、ブロックノイズやモスキートノイズを低減することができるものの、映像全体が不鮮明にボケた状態になってしまい、デジタルフィルタ処理の強度が弱すぎると、ブロックノイズやモスキートノイズを十分に低減することができない。
【０００８】
従って、デジタルフィルタ処理の強度は、デジタル映像信号の圧縮率に応じて（圧縮されたデジタル映像信号のビットレートに応じて）、適切に調整する必要がある。例えば、ＥＵ地域においては、デジタルテレビジョン信号におけるＭＰＥＧの圧縮率（デジタル映像信号の圧縮率）が各国によって異なっており、受信するデジタルテレビジョン信号におけるＭＰＥＧの圧縮率に応じて、デジタルフィルタ処理の強度を適切に調整することが望ましい。
【０００９】
また、ブロックノイズやモスキートノイズ等のノイズは、デジタル映像信号の圧縮率が同じであっても、映像の細かさ（空間周波数）や映像の動きによって、現れ方が異なる。すなわち、ブロックノイズやモスキートノイズ等のノイズは、デジタル映像信号の圧縮率が同じであっても、映像が細かいほど（空間周波数が高いほど）、また、映像の動きが大きいほど、強く現れる。
【００１０】
このため、粗い映像や動きの小さい映像に対して、ノイズが現れずかつ映像が鮮明となるように、デジタルフィルタ処理の強度を設定すると、その設定では、細かい映像や動きの大きい映像に対しては、デジタルフィルタ処理の強度が弱すぎて、ノイズが強く現れてしまう。逆に、細かい映像や動きの大きい映像に対して、ノイズが現れずかつ映像が鮮明となるように、デジタルフィルタ処理の強度を設定すると、その設定では、粗い映像や動きの小さい映像に対しては、デジタルフィルタ処理の強度が強すぎて、映像が不鮮明にボケてしまう。
【００１１】
つまり、デジタル映像信号の圧縮率に応じてデジタルフィルタ処理の強度を設定するだけ（すなわち同じ圧縮率に対してデジタルフィルタ処理の強度を一定に保ったまま）では、映像の細かさ（空間周波数）や映像の動きによって、映像にノイズが現れたり、映像が不鮮明にボケてしまったりするので、適切なフィルタ効果を得ることができない。なお、上述した特許文献１乃至特許文献３に開示の内容を適用したとしても、上記の問題を解決することはできない。
【００１２】
本発明は、上記課題を解決するためになされたものであり、デジタルフィルタ処理の強度を適切に調整して、適切なフィルタ効果を得ることができることができる映像再生装置を提供することを目的とする。
【課題を解決するための手段】
【００１３】
上記目的を達成するために請求項１の発明は、圧縮されたデジタル映像信号を伸張する伸張手段と、伸張手段により伸張されたデジタル映像信号に対してデジタルフィルタ処理を施すデジタルフィルタとを備え、デジタルフィルタによりデジタルフィルタ処理が施された後のデジタル映像信号に基く映像を表示する映像再生装置において、デジタルフィルタにおけるデジタルフィルタ処理の強度を調整するフィルタ強度調整手段と、伸張手段により伸張される圧縮されたデジタル映像信号のビットレートを検出するビットレート検出手段と、デジタルフィルタによりデジタルフィルタ処理が施された後のデジタル映像信号に基く映像を表示するときに現れるブロックノイズのレベルを検出するブロックノイズ検出手段とを備え、フィルタ強度調整手段は、ビットレート検出手段により検出されたビットレートに応じて、デジタルフィルタにおけるデジタルフィルタ処理の強度を調整すると共に、ブロックノイズ検出手段により検出されたブロックノイズのレベルに応じて、デジタルフィルタにおけるデジタルフィルタ処理の強度を調整するものである。
【００１４】
請求項２の発明は、請求項１に記載の映像再生装置において、デジタルフィルタは、デジタル映像信号に対して施すデジタルフィルタ処理として、デブロックフィルタ処理、及びスムージングフィルタ処理を施すものである。
【００１５】
請求項３の発明は、請求項１に記載の映像再生装置において、フィルタ強度調整手段は、ブロックノイズ検出手段により検出されたブロックノイズのレベルに応じて、デジタルフィルタにおけるデジタルフィルタ処理の強度を徐々に変化させながら調整するものである。
【００１６】
請求項４の発明は、請求項１に記載の映像再生装置において、圧縮されたデジタルテレビジョン信号を受信するテレビジョン受信手段をさらに備え、伸張手段は、テレビジョン受信手段により受信された圧縮されたデジタルテレビジョン信号に含まれる圧縮されたデジタル映像信号を伸張するものである。
【発明の効果】
【００１７】
請求項１乃至請求項３の発明によれば、デジタルフィルタ処理の強度は、圧縮されたデジタル映像信号のビットレートに応じて（すなわちデジタル映像信号の圧縮率に応じて）調整されることに加え、デジタルフィルタ処理が施された後のデジタル映像信号に基く映像に現れるブロックノイズのレベルに応じて（すなわち実際に表示される映像に現れるブロックノイズのレベルに応じて）調整される。これにより、映像の細かさが変化したり、映像の動きの大きさが変化したりして、デジタル映像信号の圧縮率に応じてデジタルフィルタ処理の強度を調整するだけでは、映像にノイズが現れたり、映像が不鮮明にボケてしまって、適切なフィルタ効果を得ることができない場合でも、実際に表示される映像に現れるブロックノイズのレベルに応じてデジタルフィルタ処理の強度が調整されることにより、適切なフィルタ効果を得ることができる。すなわち、映像の細かさや映像の動きによらずに、常に、デジタルフィルタ処理の強度を適切に調整して、適切なフィルタ効果を得ることができる。これにより、ノイズのない映像な鮮明な映像を得ることができる。
【００１８】
請求項４の発明によれば、デジタルテレビジョン信号を受信して、デジタルテレビジョン信号に基く映像を表示する装置において、請求項１と同様の効果が得られる。
【図面の簡単な説明】
【００１９】
【図１】本発明の一実施形態に係るテレビジョン受像機の概略構成を示す電気的ブロック構成図。
【図２】同テレビジョン受像機の動作を示すフローチャート。
【発明を実施するための形態】
【００２０】
以下、本発明を具体化した実施形態による映像再生装置について図面を参照して説明する。図１は、本実施形態による映像再生装置であるテレビジョン受像機の構成を示す。テレビジョン受像機１は、テレビジョン放送局から放送されるデジタルテレビジョン信号を受信して、デジタルテレビジョン信号に含まれるデジタル映像信号に基く映像（デジタルテレビジョン信号に基く映像）を表示する装置である。
【００２１】
テレビジョン受像機１は、ＤＴＶデコーダ２と、外部入力部３と、デジタルフィルタ４と、映像処理部５と、ディスプレイ６と、スピーカ７と、ブロックノイズ検出部８と、テレビジョン受像機１の動作を制御するＭＰＵ９等を備える。
【００２２】
ＤＴＶデコーダ２は、ＭＰＵ９による制御のもと、受信周波数がデジタルテレビジョン信号の放送チャンネルに対応する周波数に設定されることにより、その放送チャンネル（その周波数）のデジタルテレビジョン信号をアンテナ１ａを介して受信し、受信したデジタルテレビジョン信号を復調処理して、ＴＳ（Transport Stream：ＭＰＥＧ形式で圧縮されたデジタル映像信号及びデジタル音声信号などを多重化した信号）を生成する。ＤＴＶデコーダ２によって、テレビジョン受信手段が構成されている。
【００２３】
また、ＤＴＶデコーダ２は、ＴＳをデコード処理して、ＴＳからＭＰＥＧ形式で圧縮されたデジタル映像信号及びデジタル音声信号を復元し、それらＴＳから復元した圧縮されたデジタル映像信号及びデジタル音声信号（すなわち、受信したデジタルテレビジョン信号に含まれる圧縮されたデジタル映像信号及びデジタル音声信号）を伸張する。ＤＴＶデコーダ２により伸張されたデジタル映像信号は、ＭＰＵ９による制御のもと、デジタルフィルタ４に供給され、また、ＤＴＶデコーダ２により伸張されたデジタル音声信号は、ＭＰＵ９による制御のもと、スピーカ７に供給される。ＤＴＶデコーダ２によって、伸張手段が構成されている。
【００２４】
また、ＤＴＶデコーダ２は、ＴＳから復元した圧縮されたデジタル映像信号（すなわち、受信したデジタルテレビジョン信号に含まれる圧縮されたデジタル映像信号）のビットレートを検出する。ＤＴＶデコーダ２により検出されたビットレートは、ＭＰＵ９に与えられる。ＤＴＶデコーダ２によって、ビットレート検出手段が構成されている。
【００２５】
外部入力部３は、外部装置が接続され、外部装置からデジタル映像信号及びデジタル音声信号が入力される。外部装置からは、圧縮されていないデジタル映像信号及びデジタル音声信号が入力される。外部入力部３に入力されたデジタル映像信号は、ＭＰＵ９による制御のもと、デジタルフィルタ４に供給され、また、外部入力部３に入力されたデジタル音声信号は、ＭＰＵ９による制御のもと、スピーカ７に供給される。
【００２６】
デジタルフィルタ４は、ＭＰＵ９による制御のもと、供給されたデジタル映像信号（ＤＴＶデコーダ２により伸張されたデジタル映像信号、又は、外部装置から外部入力部３に入力されたデジタル映像信号）に対してデジタルフィルタ処理を施す。本明細書におけるデジタルフィルタ処理とは、デジタル映像信号に基く映像を表示するときに現れるノイズを低減するための信号補正処理である。
【００２７】
デジタルフィルタ４は、デジタル映像信号に対して施すデジタルフィルタ処理として、ブロックノイズを低減するためのデブロックフィルタ処理、及びモスキートノイズを低減するためのスムージングフィルタ処理を施す。ブロックノイズとは、マクロブロック（デジタル映像信号を圧縮するために映像を複数の領域に分割したときの各領域）の境界部分において、映像が不連続に見えるノイズである。モスキートノイズとは、輪郭がはっきりしている部分の周辺などにおいて、映像が細かく乱れて見える（蚊の大群がまとわり付いているように見える）ノイズである。
【００２８】
デジタルフィルタ４は、デジタルフィルタ処理の強度（デブロックフィルタ処理の強度、及びスムージングフィルタ処理の強度）が設定可能になっており、デジタルフィルタ処理の強度が設定されることにより、その設定された強度でデジタル映像信号にデジタルフィルタ処理を施すようになっている。デジタルフィルタ４におけるデジタルフィルタ処理の強度は、ＭＰＵ９によって設定される。デジタルフィルタ４によりデジタルフィルタ処理が施されたデジタル映像信号は、映像処理部５に供給される。
【００２９】
映像処理部５は、供給されたデジタル映像信号（デジタルフィルタ４によりデジタルフィルタ処理が施された後のデジタル映像信号）に対して、各種画質補正処理（輝度補正やホワイトバランス補正等）、スケーリング処理等の映像処理を施す。映像処理部５により映像処理が施された後のデジタル映像信号は、ディスプレイ６に供給される。
【００３０】
ディスプレイ６は、デジタル映像信号が供給されることにより、そのデジタル映像信号に基く映像を表示する。スピーカ７は、デジタル音声信号が供給されることにより、そのデジタル音声信号に基く音声を出力する。
【００３１】
ブロックノイズ検出部８は、デジタルフィルタ４によりデジタルフィルタ処理が施された後のデジタル映像信号に基く映像をディスプレイ６に表示するときに現れるブロックノイズのレベルを検出する。ブロックノイズ検出部８は、デジタルフィルタ４によりデジタルフィルタ処理が施され、さらに、映像処理部５により映像処理が施された後のデジタル映像信号に基いて、デジタル映像信号に基く映像の各マクロブロック位置を検出し、隣接するマクロブロックの境界近傍での輝度差などに基いてブロックノイズのレベルを検出する。ブロックノイズ検出部８により検出されたブロックノイズのレベルは、ＭＰＵ９に与えられる。
【００３２】
ＭＰＵ９は、ユーザによる不図示の操作手段（例えばリモートコントローラ）の操作を受けて、テレビジョン受像機１の各種動作を制御する。ＭＰＵ９は、テレビジョン受像機１の動作を制御するためのプログラムや各種データを記憶したメモリを有しており、このメモリに記憶しているプログラムや各種データに基いて、テレビジョン受像機１の各種動作を制御する。
【００３３】
ＭＰＵ９は、ＤＴＶデコーダ２の受信周波数をデジタルテレビジョン信号の放送チャンネルに対応する周波数に設定することにより、デジタルテレビジョン信号の受信を行う。これにより、デジタルテレビジョン信号がＤＴＶデコーダ２によって受信され、ＤＴＶデコーダ２によって、受信中のデジタルテレビジョン信号に含まれる圧縮されたデジタル映像信号及びデジタル音声信号が復元され、受信中のデジタルテレビジョン信号に含まれ圧縮されたデジタル映像信号及びデジタル音声信号が伸張されると共に、受信中のデジタルテレビジョン信号に含まれ圧縮されたデジタル映像信号のビットレートが検出される。
【００３４】
また、ＭＰＵ９は、ＤＴＶデコーダ２により伸張されたデジタル映像信号及びデジタル音声信号をデジタルフィルタ４及びスピーカ７に供給するように制御することにより、デジタルテレビジョン信号に基く映像及び音声の再生を行う。これにより、ＤＴＶデコーダ２により伸張されたデジタル映像信号は、デジタルフィルタ４によりデジタルフィルタ処理が施され、さらに、映像処理部５により映像処理が施された上で、ディスプレイ６に供給され、デジタルテレビジョン信号に基く映像（デジタルフィルタ処理及び映像処理が施された後のデジタル映像信号に基く映像）がディスプレイ６に表示される。また、ＤＴＶデコーダ２により伸張されたデジタル音声信号は、スピーカ７に供給され、デジタルテレビジョン信号に基く音声がスピーカ７から出力される。
【００３５】
また、ＭＰＵ９は、外部装置から外部入力部３に入力されたデジタル映像信号及びデジタル音声信号をデジタルフィルタ４及びスピーカ７に供給するように制御することにより、外部装置から入力されるデジタル映像信号及びデジタル音声に基く映像及び音声の再生を行う。これにより、外部装置から外部入力部３に入力されたデジタル映像信号は、デジタルフィルタ４によりデジタルフィルタ処理が施され、さらに、映像処理部５により映像処理が施された上で、ディスプレイ６に供給され、外部装置から入力されるデジタル映像信号に基く映像（デジタルフィルタ処理及び映像処理が施された後のデジタル映像信号に基く映像）がディスプレイ６に表示される。また、外部装置から外部入力部３に入力されたデジタル音声信号は、スピーカ７に供給され、外部装置から入力されるデジタル音声信号に基く音声がスピーカ７から出力される。
【００３６】
また、ＭＰＵ９は、映像の再生を行うとき、デジタルフィルタ４におけるデジタルフィルタ処理の強度（デブロックフィルタ処理の強度、及びスムージングフィルタ処理の強度）を設定し、その設定を適宜変更することにより、デジタルフィルタ４におけるデジタルフィルタ処理の強度を調整する。
【００３７】
デジタルテレビジョン信号に基く映像を再生する場合には、ＭＰＵ９は、再生する映像における伸張される前の圧縮されたデジタル映像信号のビットレートに応じて（すなわちデジタル映像信号の圧縮率に応じて）、デジタルフィルタ処理の強度を調整すると共に、デジタルフィルタ処理が施された後のデジタル映像信号に基く映像に現れるブロックノイズのレベルに応じて（すなわち実際に再生される映像に現れるブロックノイズのレベルに応じて）、デジタルフィルタ処理の強度を調整する。すなわち、デジタルテレビジョン信号に基く映像を再生する場合には、ＭＰＵ９は、ＤＴＶデコーダ２により検出されたビットレートに応じて、デジタルフィルタ４におけるデジタルフィルタ処理の強度を調整すると共に、ブロックノイズ検出部８により検出されたブロックノイズのレベルに応じて、デジタルフィルタ４におけるデジタルフィルタ処理の強度を調整する。
【００３８】
また、外部装置から入力されるデジタル映像信号に基く映像を再生する場合には、ＭＰＵ９は、デジタルフィルタ処理が施された後のデジタル映像信号に基く映像に現れるブロックノイズのレベルに応じて（すなわち実際に再生される映像に現れるブロックノイズのレベルに応じて）、デジタルフィルタ処理の強度を調整する。すなわち、外部装置から入力されるデジタル映像信号に基く映像を再生する場合には、ＭＰＵ９は、ブロックノイズ検出部８により検出されたブロックノイズのレベルに応じて、デジタルフィルタ４におけるデジタルフィルタ処理の強度を調整する。
【００３９】
図２は、上記テレビジョン受像機１のデジタルテレビジョン信号に基く映像を再生するときの動作フローチャートを示す。ＭＰＵ９は、映像の再生を開始すると（＃１でＹＥＳ）、まず、伸張される前の圧縮されたデジタル映像信号のビットレートを検出する（＃２）。すなわち、ＭＰＵ９は、ＤＴＶデコーダ２により検出されたビットレートを取得する。
【００４０】
そして、ＭＰＵ９は、検出したビットレートに応じて、デジタルフィルタ４におけるデジタルフィルタ処理の強度を調整する（＃３）。すなわち、ＭＰＵ９は、予め記憶している各ビットレートにおける適切なデジタルフィルタ処理の強度に従って、検出したビットレートが高い（すなわちデジタル映像信号の圧縮率が低い）ほど、デジタルフィルタ処理の強度（デブロックフィルタ処理の強度、及びスムージングフィルタ処理の強度）を弱く設定し、検出したビットレートが低い（すなわちデジタル映像信号の圧縮率が高い）ほど、デジタルフィルタ処理の強度（デブロックフィルタ処理の強度、及びスムージングフィルタ処理の強度）を強く設定する。
【００４１】
その後、ＭＰＵ９は、デジタルフィルタ４によりデジタルフィルタ処理が施された後のデジタル映像信号に基く映像に現れるブロックノイズのレベル（ディスプレイ６に実際に再生される映像に現れるブロックノイズのレベル）を検出する（＃４）。すなわち、ＭＰＵ９は、ブロックノイズ検出部８により検出されたブロックノイズのレベルを取得する。
【００４２】
そして、ＭＰＵ９は、検出したブロックノイズのレベルに応じて、デジタルフィルタ４におけるデジタルフィルタ処理の強度を調整する（＃５）。すなわち、ＭＰＵ９は、検出したブロックノイズのレベルが予め記憶している目標レベル（適切なブロックノイズのレベル）を超えてしまった場合（すなわち、デジタルフィルタ処理の強度が弱すぎて、ブロックノイズを十分に低減できていない場合）には、デジタルフィルタ処理の強度（デブロックフィルタ処理の強度、及びスムージングフィルタ処理の強度）を強め、一方、検出したブロックノイズのレベルが目標レベル未満の場合（すなわち、デジタルフィルタ処理の強度が強すぎて、映像が不鮮明にボケた状態になっている場合）には、デジタルフィルタ処理の強度（デブロックフィルタ処理の強度、及びスムージングフィルタ処理の強度）を弱める。このとき、ＭＰＵ９は、ブロックノイズのレベルが目標レベルに徐々に近づいていくように、検出したブロックノイズのレベルに応じて、デジタルフィルタの強度を徐々に変化させながら調整する（デジタルフィルタの強度を少しずつ強め又は弱める）。例えば、検出したブロックノイズのレベルをＡとし、目標レベルをＢとすると、ブロックノイズのレベルが（Ａ＋Ｂ）／２となるように、デジタルフィルタの強度を調整する。
【００４３】
ＭＰＵ９は、映像の再生を終了せずに、映像の再生を継続している間（＃６でＮＯ）、上記＃４以降の処理を繰り返す。従って、ＭＰＵ９は、デジタルテレビジョン信号に基く映像の再生中、常時、デジタルフィルタ４によりデジタルフィルタ処理が施された後のデジタル映像信号に基く映像に現れるブロックノイズのレベル（実際に再生される映像に現れるブロックノイズのレベル）を検出して、その検出したブロックノイズのレベルに応じて、デジタルフィルタ４におけるデジタルフィルタ処理の強度（デブロックフィルタ処理の強度、及びスムージングフィルタ処理の強度）を調整する。また、ＭＰＵ９は、デジタルフィルタ処理が施された後のデジタル映像信号に基く映像に現れるブロックノイズのレベルに応じてデジタルフィルタ処理の強度を調整するとき、デジタルフィルタ処理の強度を徐々に変化させながら（ブロックノイズのレベルが目標レベルに徐々に近づいていくように）調整する。
【００４４】
なお、外部装置から入力されるデジタル映像信号に基く映像を再生するときには、上記＃２及び＃３の処理が省略される。
【００４５】
このような構成のテレビジョン受像機１によれば、デジタルフィルタ４におけるデジタルフィルタ処理の強度は、圧縮されたデジタル映像信号のビットレートに応じて（すなわちデジタル映像信号の圧縮率に応じて）調整されることに加え、デジタルフィルタ４によりデジタルフィルタ処理が施された後のデジタル映像信号に基く映像に現れるブロックノイズのレベルに応じて（すなわち実際に表示される映像に現れるブロックノイズのレベルに応じて）調整される。
【００４６】
これにより、映像の細かさが変化したり、映像の動きの大きさが変化したりして、デジタル映像信号の圧縮率に応じてデジタルフィルタ処理の強度を調整するだけでは、映像にノイズが現れたり、映像が不鮮明にボケてしまって、適切なフィルタ効果を得ることができない場合でも、実際に表示される映像に現れるブロックノイズのレベルに応じてデジタルフィルタ処理の強度が調整されることにより、適切なフィルタ効果を得ることができる。すなわち、映像の細かさや映像の動きによらずに、常に、デジタルフィルタ処理の強度を適切に調整して、デジタルフィルタ処理による適切なフィルタ効果を得ることができる。これにより、ノイズのない映像な鮮明な映像を得ることができる。
【００４７】
なお、本発明は、上記実施形態の構成に限られず、種々の変形が可能である。例えば、ブロックノイズ検出部は、デジタルフィルタによりデジタルフィルタ処理が施された後、映像処理部により映像処理が施される前のデジタル映像信号に基いて、ブロックノイズのレベルを検出するようにしてもよい。また、映像の再生中、常時、ビットレートを検出して、その検出したビットレートに応じて、デジタルフィルタにおけるデジタルフィルタ処理の強度を調整するようにしてもよい。また、本発明は、ＭＰＥＧ形式以外の形式で圧縮されたデジタル映像信号を伸張し、デジタルフィルタ処理を施して、映像を再生する装置にも適用可能である。
【符号の説明】
【００４８】
１    テレビジョン受像機（映像再生装置）
１ａ  アンテナ
２    ＤＴＶデコーダ（テレビジョン受信手段、伸張手段、ビットレート検出手段）
３    外部入力部
４    デジタルフィルタ
５    映像処理部
６    ディスプレイ
７    スピーカ
８    ブロックノイズ検出部
９    ＭＰＵ（フィルタ強度調整手段）
【図１】
2010283448.tif 000003
【図２】
2010283448.tif 000004